(57)【要約】    【課題】遊技用メダル受け皿内の遊技用メダルの掻き出し、又は遊技用メダル受け皿内への手の挿入等を容易にできると共に、簡単な構造で容易且つ安価に実施できるようにする。    【解決手段】遊技機本体の前面下部に、前上がりに傾斜する前面壁４４を有し且つメダル排出口２２から排出された遊技用メダルを受けるメダル受け皿２３を備え、前面壁４４におけるメダル受け皿２３内の遊技メダルを前側に掻き出す際の掻き出し部４５となる部分の内面の傾斜角度を、前面壁４４の他の部分の内面の傾斜角度よりも小さくする。掻き出し部は前面壁４４の左右方向の中間部４５にあり、該中間部４５から左右両端側へと内面の傾斜角度が徐々に大きくなっている。【選択図】    図６
2008093333.tif 000002
【特許請求の範囲】
【請求項１】
遊技機本体（１）の前面下部に、前上がりに傾斜する前面壁（４４）を有し且つ遊技媒体排出口（２２）から排出された遊技媒体を受ける遊技媒体受け皿（２３）を備えた遊技機において、前記前面壁（４４）における前記遊技媒体受け皿（２３）内の遊技媒体を前側に掻き出す際の掻き出し部（４５）となる部分又は前記遊技媒体受け皿（２３）内へと手を挿入する際の挿入部となる部分の内面の傾斜角度を、前記前面壁（４４）の他の部分の内面の傾斜角度よりも小さくしたことを特徴とする遊技機。
【請求項２】
遊技機本体（１）の前面下部に、前上がりに傾斜する前面壁（４４）を有し且つメダル排出口（２２）から排出された遊技用メダルを受けるメダル受け皿（２３）を備えた遊技機において、前記前面壁（４４）における前記メダル受け皿（２３）内の遊技メダルを前側に掻き出す際の掻き出し部（４５）となる部分の内面の傾斜角度を、前記前面壁（４４）の他の部分の内面の傾斜角度よりも小さくしたことを特徴とする遊技機。
【請求項３】
前記掻き出し部は前記前面壁（４４）の左右方向の中間部（４５）にあり、該中間部（４５）から左右両端側へと前記内面の傾斜角度が徐々に大きくなっていることを特徴とする請求項２に記載の遊技機。
【請求項４】
前記掻き出し部（４５）は前記メダル排出口（２２）から左右方向の一方側にずれていることを特徴とする請求項２又は３に記載の遊技機。
【請求項５】
前記前面壁（４４）の前記掻き出し部（４５）の高さを低くし、該掻き出し部（４５）から左右両端側へと前記前面壁（４４）の高さが徐々に高くなっていることを特徴とする請求項２〜４の何れかに記載の遊技機。
【発明の詳細な説明】
【技術分野】
【０００１】
本発明は、スロットマシン、弾球遊技機等の遊技機、取り分けその遊技機本体の前面下部に設けられたメダル等の遊技媒体受け皿の改良に関するものである。
【背景技術】
【０００２】
遊技媒体には、遊技機の種類に応じてスロットマシン等で使用する遊技用メダル、パチンコ機等の弾球遊技機で使用する遊技球等がある。例えば、遊技用メダルを使用してゲームを行うスロットマシン等の遊技機では、遊技機本体内にメダル払い出し手段を、遊技機本体の前面下部にメダル受け皿を夫々備え、入賞役が成立したときに、その入賞役に応じて所定数のメダルをメダル払い出し手段によりメダル排出口を経て払い出し、その払い出されたメダルをメダル受け皿で受けて貯留するようにしている。
【０００３】
このメダル受け皿は、従来、左右方向に長い略横長矩形状に構成され、遊技機本体の前面下部で灰皿の右側に配置されている。メダル受け皿は前上がりに傾斜する前面壁を有し、その前面壁は下端側及び上端側が略同一の大きな半径で緩やかに湾曲する円弧状に形成され、灰皿の前面側とデザイン的に一体をなすように構成されている（特許文献１、２）。
【特許文献１】特開２００３−１０２９０２号公報
【特許文献２】特開２００６−２１２０６７号公報
【発明の開示】
【発明が解決しようとする課題】
【０００４】
メダル受け皿のメダルの貯留量が増えた場合、又はゲームを終了する場合には、メダル受け皿内のメダルを受け箱に移し変える必要がある。この場合、多くの遊技者は、前面壁の前下側に受け箱を置き、メダル受け皿内のメダルを前面壁に沿って手で受け箱内へと掻き出す方法を採っている。
【０００５】
しかし、従来のメダル受け皿の前面壁は前上がりに傾斜しているものの、左右方向の各位置での傾斜角度が非常に大で垂直状態に近い形状になっているため、前面壁の掻き出し部分にメダルが集まり難く、また集まったメダルも前面壁の内面に沿って掻き出す際に、掌の左右両側からメダル受け皿内へと零れる問題があり、メダルを掻き出し難いと云う欠点がある。
【０００６】
また弾球遊技機でも、払い出された遊技球を遊技球受け皿で受けて貯留する一方、遊技球受け皿内に手を挿入して内部の遊技球を掴み出すことがある。このような場合にも、従来の遊技球受け皿では、左右方向の各位置での傾斜角度が非常に大で垂直状態に近い形状になっているため、その前面壁、特にその上端縁が邪魔になって遊技球受け皿内に手を挿入し難いという欠点がある。しかも、最近の弾球遊技機では遊技球受け皿の単一化が進んでおり、十分な容積を確保するために遊技球受け皿の深さを深くすれば、益々手を挿入し難くなる。
【０００７】
本発明は、このような従来の問題点に鑑み、遊技媒体受け皿内の遊技媒体の掻き出し、又は遊技媒体受け皿内への手の挿入等を容易にできると共に、簡単な構造で容易且つ安価に実施できる遊技機を提供することを目的とする。
【課題を解決するための手段】
【０００８】
本発明は、遊技機本体１の前面下部に、前上がりに傾斜する前面壁４４を有し且つ遊技媒体排出口２２から排出された遊技媒体を受ける遊技媒体受け皿２３を備えた遊技機において、前記前面壁４４における前記遊技媒体受け皿２３内の遊技媒体を前側に掻き出す際の掻き出し部４５となる部分又は前記遊技媒体受け皿２３内へと手を挿入する際の挿入部となる部分の内面の傾斜角度を、前記前面壁４４の他の部分の内面の傾斜角度よりも小さくしたものである。
【０００９】
また別の本発明は、遊技機本体１の前面下部に、前上がりに傾斜する前面壁４４を有し且つメダル排出口２２から排出された遊技用メダルを受けるメダル受け皿２３を備えた遊技機において、前記前面壁４４における前記メダル受け皿２３内の遊技メダルを前側に掻き出す際の掻き出し部４５となる部分の内面の傾斜角度を、前記前面壁４４の他の部分の内面の傾斜角度よりも小さくしたものである。
【発明の効果】
【００１０】
本発明では、遊技媒体受け皿２３内の遊技媒体の掻き出し、又は遊技媒体受け皿２３内への手の挿入を容易にできると共に、簡単な構造で容易且つ安価に実施できる利点がある。
【発明を実施するための最良の形態】
【００１１】
以下、本発明の実施形態を図面に基づいて詳述する。図１〜図６は本発明をスロットマシンとして具現化した第１の実施例を例示している。図１〜図３において、１は遊技機本体であり、筐体２と、この筐体２の前側に配置された前面パネル３とを備えている。筐体２は前側が開放する箱形に形成され、その前側を開閉自在に閉塞するように前面パネル３が装着されている。
【００１２】
筐体２内には図２に示すように、その上部に左右方向に複数個（例えば３個）の図柄表示リール４を有する表示リールユニット５が設けられ、下部にメダル払い出し手段６、メダル補助ケース７、電源基板ケース８が設けられ、上下方向の中間に主制御基板が収容された主制御基板ケース９が設けられている。表示リールユニット５は筐体２の中間棚１０上に着脱自在に装着されており、この表示リールユニット５により、複数個の遊技図柄を変動表示可能な第２の遊技図柄表示手段が構成されている。
【００１３】
メダル払い出し手段６は、図２に示すように払い出し用のメダルを貯留するメダルホッパー１１と、メダルホッパー１１内のメダルを払い出すメダル払い出し部１２と、メダルホッパー１１から溢れたメダルをメダル補助ケース７側に排出する余剰メダル排出口１３等を備え、底板１４上に着脱自在に装着されている。
【００１４】
前面パネル３は骨格体を構成するパネル体１５を備え、このパネル体１５は左右一端側の上下一対のヒンジ（図示省略）を介して筐体２に開閉自在に装着されている。前面パネル３には、その上部側に第１表示窓１６、第２表示窓１７、左右一対の上スピーカ１８が配置され、中間部に上操作パネル部１９、前操作パネル部２０、前カバー２１が配置され、更に下部にメダル排出口２２、メダル受け皿２３、灰皿２４、左右一対の下スピーカ２５が配置されている。
【００１５】
第２表示窓１７は、筐体２側の図柄表示リール４に対応して矩形状に形成されており、遊技者はこの第２表示窓１７を介して図柄表示リール４を前側から視認可能である。第１表示窓１６は、前面パネル３の裏側に装着された液晶表示ユニット２６（図３参照）に対応して第２表示窓１７の上側に形成されており、遊技者はこの第１表示窓１６を介して液晶表示ユニット２６の表示画面を前側から視認可能である。なお、液晶表示ユニット２６に代えて表示リールユニットを設けてもよい。
【００１６】
上操作パネル部１９には、その左右方向の一端側にベットボタン２７、マックスベットボタン２８、キャンセルボタン２９が設けられ、他端側に遊技媒体としてのメダルを投入可能なメダル投入口３０が設けられている。
【００１７】
前操作パネル部２０には、図柄表示リール４の回転を開始させるためのスタートレバー３１、回転中の図柄表示リール４を夫々個別に停止させるためのストップボタン３２、メダル投入口３０内に詰まったメダルを返却させるための返却ボタン３３等が設けられている。
【００１８】
パネル体１５は前面パネル３に対応する矩形状であって、その裏側には図３に示すように各スピーカ１８，２５、液晶表示ユニット２６等の他に、メダル投入口３０から投入されたメダルの正偽を選別するメダル選別手段３５、メダル選別手段３５を通過した真正のメダルをメダルホッパー１１へと案内するメダルシュート３６、メダル選別手段３５で排除された偽メダル及びメダル払い出し手段６で払い出されたメダルをメダル排出口２２からメダル受け皿２３へと案内するメダル案内通路３７等が設けられている。
【００１９】
液晶表示ユニット２６の裏側には、そのドライバ基板が収容されたドライバ基板ケース３８が装着され、このドライバ基板ケース３８の裏側に、演出制御基板が収容された制御基板ケース３９が装着されている。
【００２０】
メダル受け皿２３はメダル排出口２２を経て案内されるメダルを受けて貯留するためのもので、図４〜図６に示すようにパネル体１５の前面に当接する金属製等の化粧板４１を介してパネル体１５に装着され、遊技機本体１の前面下部に配置されている。メダル排出口２２はパネル体１５の下部壁１５ａと化粧板４１とを貫通するように矩形状に形成され、その下開口縁２２ａがメダル案内通路３７の前下りに傾斜する傾斜案内面３７ａの前端と略一致している。
【００２１】
メダル受け皿２３は、左右両側の側面壁４２と底面壁４３と前面壁４４とを備えている。各側面壁４２はパネル体１５側が高くなっており、この左右の側面壁４２間に底面壁４３が設けられている。なお、底面壁４３は上面が略水平状になっている。また底面壁４３にはパネル体１５の近傍に横長状の金属板４３ａが装着されており、この金属板４４でメダル排出口２２からのメダルを受けるようになっている。
【００２２】
前面壁４４は板状であって、左右の側面壁４２間で底面壁４３の前端縁から、メダル排出口２２の下開口縁２２ａよりも若干高くなるように前斜め上方に起立しており、全体として前上がりに傾斜している。この前面壁４４は左右両端間を結ぶ線分よりも左右方向の中央部４５が前側に突出するように緩やかな平面視円弧状に湾曲すると共に、その下端縁４４ａ側の半径に比して上端縁４４ｂ側の半径が小さくなっている。
【００２３】
そして、前面壁４４の内面は、メダル受け皿２３内のメダルを前側へと掻き出す際に掻き出し部となる中央部４５の傾斜角度α（中央部４５の内面と水平線とのなす角度）が左右両側の傾斜角度よりも小さくなっており、この中央部４５から左右両側へと内面の傾斜角度が徐々に大きくなっている。
【００２４】
なお、前面壁４４の左右両端側の内面は、若干前側に傾斜する程度で略垂直又は略垂直に近い角度になっている。前面壁４４の上端縁４４ｂは左右方向の略全範囲にわたって略同一高さであり、その上端縁４４ｂには前側に屈曲する帯状の屈曲縁４６が左右方向の全長に形成されている。前面壁４４の下端縁４４ａ側の内面は、掻き出し時にメダルが引っ掛からないように底面壁４３の上面へと滑らかに湾曲する曲面状に構成することが望ましい。
【００２５】
前面壁４４の前面中央には、その前側に突出する係合部４７が設けられている。係合部４７はメダル受け皿２３内のメダルを掻き出す際に、遊技者の膝に載せた状態で受け箱の縁を下側から係合させるためのもので、上壁４８と下壁４９とを一体に有する側面視逆Ｌ字状に屈曲しており、前面壁４４の前面に左右方向に長く横長状に設けられている。上壁４８と下壁４９の左右両端には、前面壁４４との間に閉塞壁５０が一体に設けられている。
【００２６】
なお、係合部４７は前面壁４４の中央部４５から左右両側へと左右方向に伸びており、この係合部４７と上端縁４４ｂの屈曲縁４６とによって、前面壁４４を補強することができる。
【００２７】
メダル受け皿２３内のメダルを掻き出す際には、遊技者の膝の上等の所定箇所に受け箱を載せた状態でその縁を係合部４７に下側から引っ掛けておく。これによって受け箱が不測に移動してメダル受け皿２３から離れるようなことがなく、メダル受け皿２３から掻き出したメダルがメダル受け皿２３と受け箱との間から零れるようなことを防止できる。
【００２８】
メダルの掻き出しに当たっては、メダル受け皿２３内のメダルをその左右方向の中央部分に集めながら、前面壁４４の傾斜角度αの小さい中央部４５を掻き出し部として、その中央部４５の内面に沿って手で前側へと掻き出せばよい。この場合、掻き出し部となる中央部４５の内面の傾斜角度αがその左右両側の内面の傾斜角度に比して小さくなっているため、従来の前面壁４４が単に前上がりに傾斜するだけの場合に比較して、メダルの零れ等が少なくなり容易に掻き出すことができる。
【００２９】
また前面壁４４の中央部４５の傾斜角度αを小さくすればよいため、構造的にも簡単で製作等も容易であり、容易且つ安価に実施できる。しかも、前面壁４４は全体として前上がりに傾斜しており、中央部４５の傾斜角度αが最小となるように、左右両側から中央部４５にかけて徐々に傾斜角度が変化する構造であるため、前面壁４４に他の物が引っ掛かる等の問題もないし、前面壁４４の前面に係合部４７を設けるに当たっても、係合部４７を容易に配置することができる。
【００３０】
更に傾斜角度αの小さい中央部４５は、メダル排出口２２から左右にずれた位置にあり、メダル排出口２２に対応する部分は中央部４５から外れて傾斜角度が大きく急激に立ち上がった形状となっているため、メダル排出口２２から払い出されたメダルが前面壁４４を超えて前側に落下する等の惧れもない。
【００３１】
図７及び図８は本発明の第２の実施例を例示する。この実施例では、前面壁４４の上面４４ｃは中央部４５が円弧状に凹入する形状であって、前面壁４４の中央部４５の高さが最も低くなっており、この中央部４５から左右両端へと高さが徐々に高くなっている。なお、前面壁４４の中央部４５の高さは、メダル排出口２２の下開口縁２２ａよりも高くなっている。その他の構成は、第１の実施例と同じである。
【００３２】
このように前面壁４４の中央部４５の上面４４ｃをその左右両側よりも低くすることにより、掻き出されたメダルが前面壁４４の上面４４ｃを超えるときにも、メダルの左右両側への分散を防止できる。このためメダルの掻き出しを更に容易に行うことができる。
【００３３】
図９は本発明の第３の実施例を例示する。図９（Ａ）では、前面壁４４は、その中間の二箇所の屈曲部５３で屈曲する形状であって、その屈曲部５３間の中央部（掻き出し部）４５の内面の傾斜角度αを小さくし、各屈曲部５３から前面壁４４の両端へと内面の傾斜角度が徐々に大きくなるように構成している。なお、前面壁４４の上端縁４４ｂは、屈曲部５３間の中央部４５が遊技機本体１と略平行であり、この中央部４５の両端から前面壁４４の両端側が後方側に屈曲している。
【００３４】
図９（Ｂ）では、前面壁４４は、その中央の屈曲部５３で二つ折り状に屈曲する形状であって、中央部（掻き出し部）４５にある屈曲部５３の内面の傾斜角度αを小さくし、その屈曲部５３から前面壁４４の両端へと内面の傾斜角度が徐々に大きくなるように構成している。なお、他の構成は第１の実施例、又は第２の実施例と略同じである。
【００３５】
このようにメダル受け皿２３の前面壁４４を左右方向の１箇所又は２箇所の屈曲部５３で屈曲する場合でも、掻き出し部となる中央部４５の内面の傾斜角度αを小さくし、中央部４５から左右両側へと内面の傾斜角度が徐々に大きくなるように構成することが可能である。そして、この場合にも、メダル受け皿２３内のメダルを容易に掻き出すことができる。なお、前面壁４４は３箇所以上で屈曲するようにしてもよい。また前面壁４４の屈曲部５３に代えて、その部分を平面視円弧状にしてもよい。
【００３６】
図１０〜図１２は本発明の第４の実施例を例示する。この実施例では、前面壁４４は前後に所定の間隔を置いて配置された外壁５１及び内壁５２と、これらを上端側で一体に連結する屈曲縁４６とで構成されている。なお、外壁５１と内壁５２との間には、外壁５１、内壁５２及び屈曲縁４６と一体に複数個のリブ５５が左右方向に所定の間隔をおいて設けられている。
【００３７】
外壁５１は屈曲縁４６の前端から略垂直に垂れ下がり且つその中央部分が前側へと円弧状に湾曲する平面視円弧状になっている。内壁５２は外壁５１と略同様に中央部４５が前側に円弧状に湾曲する平面視円弧状であるが、中央部４５の内面の傾斜角度αが小さく、この中央部４５から両端へと徐々に内面の傾斜角度が大きくなっている。また前面壁４４の上面を形成する屈曲縁４６は中央部４５の高さが低く、この中央部４５から両端へと徐々に高くなっている。
【００３８】
底面壁４３は前面壁４４の内壁５２の下端に接続されている。そして、底面壁４３には内壁５２の中央部４５の近傍に球面状に凹入する凹部５４が設けられており、この底面壁４３の上面はその凹部５４から左右両側、後側へと徐々に高くなる傾斜面５４ａとなっている。底面壁４３の凹部５４は前面壁４４の内壁５２の中央部４５に滑らかな曲面を介して接続されている。底面壁４３側には、メダルの掻き出し部である中央部４５に対応して、矢印内に「ＭＥＤＡＬ」を記入する等、掻き出し位置、方向等を示す表示５６が付されている。
【００３９】
このように前面壁４４が外壁５１と内壁５２とを有するような場合でも、その前面壁４４の中央部４５の内面の傾斜角度αを他の内面の傾斜角度よりも小さくすることにより、メダル受け皿２３内のメダルの掻き出しを容易に行うことができる。また内壁５２の中央部４５の下側近傍の底面壁４３の上面に、内壁５２の中央部４５の傾斜角度αの内面に滑らな曲面を介して連続する凹部５４を設けることにより、メダルの掻き出しに際して、メダルをその凹部５４側へと集め易くなり、メダルの掻き出しを更に容易に行うことができる。しかも底面壁４３側にメダルの掻き出し位置、方向等を示す表示５６を付することによって、遊技者がメダルの掻き出し位置、方向等を容易に把握でき、中央部４５の傾斜角度αを小さくすることによる利便性が更に向上する。
【００４０】
以上、本発明の各実施例について詳述したが、本発明はこの実施例に限定されるものではなく、本発明の趣旨を逸脱しない範囲で種々の変更が可能である。例えば、実施例では、前面壁４４の中央部４５をメダルの掻き出し部とし、その中央部４５の内面の傾斜角度αを最小にしているが、掻き出し部は前面壁４４の中央部４５である必要はなく、前面壁４４の左右方向の中間部であれば十分である。
【００４１】
前面壁４４は全体として略前側に傾斜した形状であれば十分であり、その左右両端、又は両端部は略垂直状態にしてもよい。また前面壁４４の上部と下部との前後方向の厚さが異なる場合には、その内面の形状を前述のようにすればよい。更に遊技用メダルを使用するスロットマシンを例示しているが、メダルを使用してゲームを行う遊技機であれば、スロットマシン以外の遊技機においても同様に実施することが可能である。
【００４２】
また各実施例では、遊技用メダルを使用するスロットマシンのメダル受け皿２３について詳述したが、遊技媒体に遊技球を使用する弾球遊技機の遊技球受け皿の場合にも同様に実施可能である。遊技球受け皿の場合には、メダル受け皿２３のメダル掻き出し部に代えて、遊技球受け皿内に手を挿入する際に、その挿入部近傍の前面壁の内面の角度が問題になるため、その挿入部を中心とする所定範囲の内面の傾斜角度αを他の部分よりも小さくすればよい。
【図面の簡単な説明】
【００４３】
【図１】本発明の第１の実施例に係るスロットマシンの全体斜視図である。
【図２】同筐体側の正面図である。
【図３】同前面パネルの背面図である。
【図４】同メダル受け皿部分の正面図である。
【図５】同メダル受け皿部分の平面断面図である。
【図６】同メダル受け皿部分の拡大断面図である。
【図７】本発明の第２の実施例に係るメダル受け皿部分の正面図である。
【図８】同メダル受け皿部分の拡大断面図である。
【図９】（Ａ）（Ｂ）は本発明の第３の実施例に係るメダル受け皿部分のメダル受け皿部分の平面断面図である。
【図１０】本発明の第４の実施例に係るメダル受け皿部分の一部破断正面図である。
【００４４】
【図１１】同メダル受け皿部分の平面断面図である。
【図１２】同メダル受け皿部分の拡大断面図である。
【符号の説明】
【００４５】
１  遊技機本体
２２  メダル排出口
２３  メダル受け皿
４４  前面壁
４５  掻き出し部（中央部、中間部）
【図１】
2008093333.tif 000003
【図２】
2008093333.tif 000004
【図３】
2008093333.tif 000005
【図４】
2008093333.tif 000006
【図５】
2008093333.tif 000007
【図６】
2008093333.tif 000008
【図７】
2008093333.tif 000009
【図８】
2008093333.tif 000010
【図９】
2008093333.tif 000011
【図１０】
2008093333.tif 000012
【図１１】
2008093333.tif 000013
【図１２】
2008093333.tif 000014